(57)【要約】【課題】シャッタ羽根が撮影開口内に移動した際にも、飛散した摩耗粉を捕獲し、撮像素子の前面に設けられた光学部材に、摩耗粉が付着することを防止することが可能となるシャッタ装置および撮像装置を提供すること。【解決手段】撮像素子（２０２）と、前記撮像素子の直前を走行する羽根部材（１１０）と、前記羽根部材の走行スペースを保持する２つの地板（１０１，１０２）と、前記羽根部材を撮影開口から進退させる少なくとも２つのアーム部材（１１１ａ，１１１ｂ）と、前記アーム部材と、前記羽根部材を連結するかしめピン（１１２ａ，１１２ｂ）とを有するシャッタ装置において、前記羽根部材の、前記撮像素子と対向する面に、粘着部（４００）を設けたことを特徴とする。【選択図】  図３
2015225194.tif 000002
【特許請求の範囲】
【請求項１】
撮像素子（２０２）と、
前記撮像素子の直前を走行する羽根部材（１１０）と、
前記羽根部材の走行スペースを保持する２つの地板（１０１，１０２）と、
前記羽根部材を撮影開口から進退させる少なくとも２つのアーム部材（１１１ａ，１１１ｂ）と、
前記アーム部材と、前記羽根部材を連結するかしめピン（１１２ａ，１１２ｂ）と
を有するシャッタ装置において、
前記羽根部材の、前記撮像素子と対向する面に、
粘着部（４００）を設けたことを特徴とするシャッタ装置および撮像装置。
【請求項２】
前記羽根部材に設けた粘着部（４００）は、
少なくとも前記２つのアーム部材と、前記かしめピンで囲まれた範囲に有すること
を特徴とする請求項１に記載のシャッタ装置および撮像装置。
【請求項３】
前記地板に、
記羽根部材に設けた粘着部と、対向する場所に穴部（１０２ａ）を設けたこと
を特徴とする請求項１又は請求項２に記載のシャッタ装置および撮像装置。
【請求項４】
撮像素子の前面に設けられた光学部材（２０１）に、
少なくとも前記穴部（１０２ａ）と対向する場所に、粘着部（５００）を設けたこと
を特徴とする請求項１乃至請求項３の何れか一項に記載のシャッタ装置および撮像装置。
【発明の詳細な説明】
【技術分野】
【０００１】
本発明は、撮像装置の異物捕獲構造に関し、特に、シャッタ動作により撮像素子に付着する異物を捕獲する構造を有する撮像装置に関するものである。
【背景技術】
【０００２】
従来、デジタルカメラ等の撮像素子を有する撮像装置において、撮像装置内で動作するミラーやシャッタで発生する摩耗粉や、レンズ交換の際に外部から侵入した異物が撮像素子に付着し、撮影画像に写りこんでしまう問題があった。
【０００３】
特に、撮像素子の近傍で走行するフォーカルプレンシャッタの羽根動作により、摩耗粉が飛散し、撮像面や撮像素子の前面に設けられたガラス面等に付着する問題があった。
【０００４】
そこで、特許文献１には、露光用の開口部を有している２つの地板の間に羽根室を構成し、前記羽根室内でシャッタ羽根を走行させるシャッタ装置において、前記地板の少なくとも一方が複数の貫通孔によって網目状に形成されており、前記シャッタ羽根の走行面側に粘着部を有するフォーカルプレンシャッタが開示されている。
【０００５】
特許文献２には、露光用の開口部を有している２つの地板の間に羽根室を構成し、前記羽根室内でシャッタ羽根を走行させるシャッタ装置において、前記地板とシャッタ羽根が作動上接触しない面に各々粘着性を有する複数の粘着シートが重層して設けられおり、前記地板自体の最も外側の前記粘着シートから順次剥がせるようにしたことを特徴とするフォーカルプレンシャッタが開示されている。
【先行技術文献】
【特許文献】
【０００６】
【特許文献１】特許第３９６５３１４号明細書
【特許文献２】特開２００４−１６３４４９号公報
【発明の概要】
【発明が解決しようとする課題】
【０００７】
しかしながら、上述の特許文献１に開示された従来技術では、シャッタ羽根の走行面と対向する面に粘着部を設け、羽根室内に退避した際に飛散したゴミを粘着部で捕獲する技術が開示されているが、シャッタ羽根が撮影開口内に移動した際に飛散したゴミを捕獲する構成ではないため、シャッタ羽根の動作によって飛散したゴミが撮像素子の前面に設けられたガラス面等に付着してしまうという問題があった。
【０００８】
また、上述の特許文献２に開示された従来技術では、シャッタ羽根の走行面と対向する面と、シャッタ装置の外側にそれぞれ粘着部を設け、羽根室内に飛散したゴミと、シャッタ装置の外側に飛散したゴミを捕獲する技術画が開示されているが、特許文献１と同様に、シャッタ羽根が撮影開口内に移動した際に飛散したゴミを捕獲する構成ではないため、シャッタ羽根の動作によって飛散したゴミが撮像素子の前面に設けられたガラス面等に付着してしまうという問題があった。
【０００９】
そこで、本発明の目的は、シャッタ羽根が撮影開口内に移動した際にも、飛散した摩耗粉を捕獲し、撮像素子の前面に設けられたガラス面等に摩耗粉が付着することを防止する撮像装置を提供することである。
【課題を解決するための手段】
【００１０】
上記目的を達成するために、本発明は、
撮像素子と、
前記撮像素子の直前を走行する羽根部材と、
前記羽根部材の走行スペースを保持する２つの地板と、
前記羽根部材を撮影開口から進退させる少なくとも２つのアーム部材と、
前記アーム部材と、前記羽根部材を連結するかしめピンと
を有するシャッタ装置において、
前記羽根部材の、前記撮像素子と対向する面に、
粘着部を設けたことを特徴とするシャッタ装置および撮像装置である。
また、前記羽根部材に設けた粘着部は、
少なくとも前記２つのアーム部材と、前記かしめピンで囲まれた範囲に有することを特徴とするシャッタ装置および撮像装置である。
【００１１】
また、前記地板の粘着部と対向する場所に、穴部を設けたことを特徴とするシャッタ装置および撮像装置である。
【００１２】
また、撮像素子の前面に設けられた光学部材の表面の、少なくとも前記穴部と対向する場所に粘着部を設けたことを特徴とするシャッタ装置および撮像装置である。
【発明の効果】
【００１３】
本発明によれば、シャッタ羽根が撮影開口内に移動した際にも、飛散した摩耗粉を捕獲し、撮像素子の前面に設けられた光学部材の表面に摩耗粉が付着して、撮影画像に摩耗粉が写ってしまうことを防止することが可能となるシャッタ装置および撮像装置を提供することができる。
【図面の簡単な説明】
【００１４】
【図１】本発明の実施例である撮像装置の全体構成を示す概略図
【図２】実施例のシャッタ装置および撮像素子部の断面概略図
【図３】実施例のシャッタ先羽根走行前を示す平面図
【図４】実施例のシャッタ先羽根走行後を示す平面図
【図５】実施例のシャッタ羽根走行軌跡を示す平面図
【図６】実施例の断面詳細図
【発明を実施するための形態】
【００１５】
以下に、本発明の撮像装置の実施の形態について図面を参照しながら説明する。本実施形態における撮像装置は、ＣＣＤやＭＯＳ型等の固体撮像素子を用いた電子スチルカメラに適用される。
【００１６】
図１は、実施の形態における電子スチルカメラの内部の全体構成を示す図である。図１において、２０は被写体像を結像面に結像させる撮影レンズであり、電子スチルカメラ本体１０に着脱可能に構成されている。この撮影レンズ２０は、被写体像を結像面に結像させる結像レンズであり、不図示のレンズ駆動装置、露出制御を行うための絞り羽根群、およびこの絞り羽根群を駆動する絞り駆動装置等から構成されている。
【００１７】
１１は、撮影レンズ２０により結像される被写体像をフォーカシングスクリーンに導くと共に、その一部を透過させ、サブミラー１２によって焦点検出装置１３に導くための主ミラーである。この主ミラー１１は、不図示のミラー駆動装置により、ファインダで被写体像を観察可能な位置、および撮影時に被写体光束の光路から待避する退避位置に可動自在である。
【００１８】
１４は、フォーカシングスクリーンに結像した被写体像を正立正像に変換して反射する光学部材である。本実施形態では、光学部材１４として、ペンタプリズムが使用される。
【００１９】
１５は、ペンタプリズム１４で正立正像に変換して反射された被写体像を撮影者の目に到達させる接眼レンズ装置である。
【００２０】
１６は、ファインダ観察時にフォーカシングスクリーンに結像した被写体像の輝度を、ペンタプリズム１４を介して測定する測光装置である。この測光装置１６の出力信号に基づき、露光時の露出制御を行う。
【００２１】
１２は、主ミラー１１で一部が透過した被写体光を反射し、ミラーボックス下面に配置された焦点検出装置１３に被写体光を導くサブミラーである。このサブミラー１２は、ミラー駆動機構によって主ミラー１１と連動し、主ミラー１１がファインダで被写体像を観察可能な位置にある場合、焦点検出装置１３に被写体光を導く位置、または、撮影時、被写体光束の光路から待避する退避位置に可動自在である。
【００２２】
１３は、焦点検出装置である。この焦点検出装置１３の出力信号に基づき、撮影レンズ２０のレンズ駆動装置が制御され、焦点調節が行われる。
【００２３】
１００は、被写体光束の結像面への入射を機械的に制御するシャッタ装置である。
【００２４】
２００は、撮影レンズ２０により結像された被写体像を撮像して電気信号に変換する撮像素子部である。この撮像素子部２００には、ＣＣＤ型、ＭＯＳ型等の２次元型撮像デバイスが用いられている。
【００２５】
次に、撮影動作について説明する。撮影前、撮影レンズ２０から入射した被写体像は、主ミラー１１、ペンタプリズム１４、接眼レンズ１５を介して撮影者が確認できる状態となっていて、被写体像の一部はサブミラー１２を介して焦点検出装置１３に入射する。撮影者のスイッチ動作により、焦点検出装置にて検出された被写体距離情報により撮影レンズ２０のレンズ駆動が行われ、焦点を合わせることが可能となっている。また、測光装置１６にて被写体輝度を測定し、レンズ絞り値とシャッタ露出時間が決定される。
【００２６】
レリーズ動作により撮影が行われる際は、主ミラー１１およびサブミラー１２が撮影光路から上方へ退避し、シャッタ１００の羽根が開口し、撮像素子へ被写体像が入射する。適正露出時間が経過したのちシャッタ１００の羽根が画枠開口部を遮蔽し、主ミラー１１およびサブミラー１２が撮影光路内に復帰し、撮影動作が完了となる。
【００２７】
次に図２を用いて、シャッタ装置および撮像素子部材の配置構造について説明する。シャッタ装置１００は、被写体側の地板１０１と、撮像素子側の地板１０２でシャッタ羽根の走行スペースを規定される。シャッタ羽根は、それぞれ複数の羽根部材で構成される先羽根１１０および後羽根１２０の２組の羽根ユニットが備えられ、撮影前は、先羽根１１０により開口部は遮蔽され、後羽根１２０は開口部外に重畳されている。
【００２８】
撮像素子部材は、撮像素子部２０２と、その被写体側を塞ぐ光学部材２０１と、撮像素子部から信号を読み出す基板部２０３から構成される。
【００２９】
撮影動作が開始されると、開口部を複数の羽根で遮蔽していた先羽根１１０が、展開状態から重畳状態に移動し開口部を露出させる。所定の時間ののち、開口部外から後羽根１２０が、重畳状態から展開状態に移動し開口部を覆うことで露光動作が行われる。その後、再び先羽根１１０を展開状態に、後羽根１２０を重畳状態に移動させ一連の撮影動作が終了する。これらのシャッタ羽根の撮影動作の際、羽根部材の摺動摩耗粉３００が撮像素子側に飛散し、光学部材２０１の表面に付着してしまうことがある。また、シャッタ羽根の走行スペース内に飛散したり、地板１０２の表面、地板１０２と光学部材２０１との隙間に飛散してしまうことがある。
【００３０】
そこで、図３、図４、図５、図６を用いて、図２で示した摺動摩耗粉の好適な捕獲方法について説明する。図３、図４は、シャッタ装置を撮像素子側から見た平面図である。
図３はシャッタ走行前の状態を示し、撮像素子側に開口部を覆う先羽根、被写体側に開口部から退避した後羽根が配置されている状態を示す。図４は露光撮影中の状態を示し、図３の状態から先羽根が走行し、開口部から退避した状態を示す。
【００３１】
開口部を覆う先羽根１１０は、４つの羽根１１０ａ、１１０ｂ、１１０ｃ、１１０ｄと、２つのアーム１１１ａ、１１１ｂ、および各アームと羽根を回転可能にかしめるかしめピン（１１２ａ、１１２ｂ等）とから構成される。
【００３２】
これら先羽根１１０は、１１３ａ、１１３ｂを回転軸とし、アーム１１１ａ、１１１ｂと各羽根による並行リンク機構を成し、不図示の駆動源によりアーム１１１ａに回転駆動力が付与されることにより、図３に示す開口部を羽根で覆う展開状態と、図４に示す開口部から退避した重畳状態となる。
【００３３】
後羽根１２０も先羽根と同様の構成を有しており、図３では撮影開口から退避した位置に重畳されている。
【００３４】
尚、通常、先羽根と後羽根が互いに衝突しないように、羽根走行スペースを分割する仕切り板が用いられるが、図３、図４では公知の構成として省略している。
【００３５】
これら羽根部材の走行は高速におこなわれ、停止時の衝撃力も大きいため、走行方向だけでなく、走行方向と垂直な方向にも大きく変位し、上述した各羽根およびアーム、かしめピン、更には地板との摺動により摩耗粉が生じる。
【００３６】
ここで、これら羽根の動作により発生した摩耗粉等を捕獲する方法について説明する。先羽根の最も撮像素子側に配置されたスリット羽根１１０ａの表面に、粘着部４００が設けられている。この粘着部４００は、２つのアーム１１１ａ、１１１ｂの外形近傍からアーム回転中心方向に延伸した形状と、羽根先端側に延伸した形状を有している。
【００３７】
図４に示したように、先羽根が撮影開口から退避した際には、地板１０２に、粘着部４００と対向する個所に穴部１０２ａを設け、羽根停止時の衝撃により羽根が撓んでも、粘着部が地板に接触しないようになっている。但し、この穴部１０２ａは必須の構成ではなく、塞がっていても何ら問題はない。これは、上述した羽根１１０ａを動作させるアーム１１１ａ、１１１ｂおよびかしめピン１１２ａ、１１２ｂが、羽根１１０ａより地板１０２側に設けられているためであり、羽根停止時の衝撃により羽根が撓んでも地板１０２には、かしめピンやアームが接触し、羽根上に設けた粘着部が地板に接触することはないためである。
【００３８】
図５は、先羽根の走行動作と、先羽根に設けられた粘着部４００の移動軌跡４０１を示した平面図である。
【００３９】
先羽根の走行・停止によって、羽根１１０ａとアーム１１１ａ、１１１ｂの摺動により発生した摩耗粉３００や、アーム１１１ａ、１１１ｂとかしめピン１１２ａ、１１２ｂの摺動により発生した摩耗粉３００は、走行軌跡近傍、もしくは遠心力によってこれら発生源より羽根先端側に沿って飛散する。その際、粘着部４００がこれら摩耗粉３００の飛散経路に沿って移動していくので、光学部材に付着する前に捕獲することができる。
【００４０】
５００は光学部材に設けた粘着部材であり、先羽根が撮影開口から退避した際に、地板開口部１０２ａを覆うように設けたことで、開口部から飛散してきた摩耗粉と、地板１０２と光学部材２０１の隙間に飛散した摩耗粉を捕獲することが出来るようになっている。
【００４１】
図６は、撮像面に対して垂直な面で切った断面概略図である。下から、羽根１１０、アーム１１１、かしめピン１１２、地板１０２、粘着部材４００、光学部材２０１となっている。２０４は光学部材を保持するための保持部材である。図６の左右方向に羽根部材は走行し、左方向が撮影開口部である。羽根部材が羽根室内に移動し、地板１０２とかしめピン１１２ａ、１１２ｂが接触した際に発生する摩耗粉が羽根室内に飛散している様子を示している。
【００４２】
また、かしめピンとアーム１１１ａ、１１１ｂが摺動した際に発生する摩耗粉、羽根１１０とアーム１１１ａ、１１１ｂが摺動した際に発生した摩耗粉も飛散している様子を示している。これら摩耗粉は、発生した近傍に設けられた羽根の粘着部４００により捕獲される。更には、地板１０２に設けた穴部１０２ａによって、捕獲できなかった摩耗粉が地板の外側に飛散した場合には、光学部材の対向する面に設けた粘着部材５００によって捕獲することができるようになっている。
【００４３】
また、捕獲されずにアームやかしめピン、羽根部材に付着したままの摩耗粉や、羽根室内に浮遊していた摩耗粉が、羽根動作により再び撮影開口内に移動した際にも、図５で示したように、摩耗粉もアームおよびかしめピンの移動軌跡近傍、もしくは遠心力によって羽根先端側に沿って飛散するので、移動軌跡に沿って移動する粘着部４００により捕獲することができる。
【００４４】
尚、上述した実施例の図３、図４、図５では、粘着部はアーム近傍のみに配置している図となっているが、羽根が重畳されたときに粘着部が地板に接触することがない範囲で広げることも可能である。また、羽根先端側に沿って分割して粘着部を設けてももちろん良い。
【００４５】
また、上記実施例では、粘着部は、両面テープ等の接着力を有する部材に限定されるものではなく、摩耗粉を捕獲できる部材であれば適用できることは言うまでもない。例えば、表面に微細な凹凸を有する塗装面や、植毛紙のような部材でももちろん良い。これらの構成によっては、摩耗粉の捕獲部は更に羽根先端側まで設けることも可能となる。
【００４６】
更に、上記実施例では、シャッタ装置の先羽根が撮像素子側に配置され、撮像装置の下方に退避する構造の例として説明したが、これらの構成に限定することはなく、後羽根が撮像素子側に配置された場合にももちろん適用できる。また、シャッタ装置の２つの地板の被写体側の地板に同様の構成を設け、被写体側に飛散する摩耗粉を捕獲する場合にも適用できる。
【００４７】
シャッタ羽根は先羽根、後羽根の２組である必要もなく、どちらか１つを備えたシャッタ装置にももちろん適用できる。
【００４８】
また、シャッタ装置ではなく、撮像素子の直前を移動するごみ取り装置等の移動体について適用してももちろん良い。
【００４９】
以上、本発明の好ましい実施形態について説明したが、本発明はこれらの実施形態に限定されず、その要旨の範囲内で種々の変形及び変更が可能である。
【符号の説明】
【００５０】
１０  カメラ本体、１１  主ミラー、１２  サブミラー、１３  焦点検出装置、
１４  ペンタプリズム、１５  接眼レンズ、１６  測光装置、２０  撮影レンズ、
１００  シャッタ装置、１０１  地板、１０２  地板、１１０  先羽根、
１１１  アーム、１１２  かしめピン、１１３  回転軸、１２０  後羽根、
２００  撮像素子部、２０１  光学部材、２０２  撮像素子、２０３  配線基板、
２０４  保持部材、３００  摩耗粉、４００  粘着部材、４０１  粘着部移動軌跡、
５００  粘着部材
【図１】
2015225194.tif 000003
【図２】
2015225194.tif 000004
【図３】
2015225194.tif 000005
【図４】
2015225194.tif 000006
【図５】
2015225194.tif 000007
【図６】
2015225194.tif 000008